(57)【要約】【課題】搭載した磁気抵抗効果素子が静電破壊することのない磁気抵抗効果型ヘッドを提供する。【解決手段】磁気テープの摺動面１２に接地電位の導電性膜１８が形成されている。【選択図】      図２
2004185773.tif 000002
【特許請求の範囲】
【請求項１】
磁気テープの摺動面に接地電位の導電性膜が形成されていることを特徴とする磁気抵抗効果型ヘッド。
【発明の詳細な説明】
【０００１】
【発明の属する技術分野】
本発明は、磁気抵抗効果素子を備える磁気抵抗効果型ヘッドに関する。
【０００２】
【従来の技術】
従来、磁気テープに記録された磁気情報を読み出す磁気抵抗効果素子の静電破壊（ＥＳＤ）を防止するために、磁気ヘッドを接地した磁気記録再生装置が知られている（例えば、後記特許文献１参照）。この磁気記録再生装置では、図６に示すように、磁気抵抗効果素子１５ａを挟み込む基板２５及び保護板２６がアルチックやフェライトといった導電性材料で構成されているとともに、これら基板２５及び保護板２６がシャーシ（図示せず）側に銀ペーストといった導電性接着剤２７で接着されることによって接地されている。
【０００２】
この磁気記録再生装置は、磁気ヘッド２８を構成する基板２５及び保護板２６に接地電位の導電性材料を使用することによって、帯電した磁気テープが磁気ヘッド２８に接触したときに、磁気テープの静電気を基板２５及び保護板２６を介して放電するようにしたものである。この磁気記録再生装置によれば、磁気テープの帯電が解消されるので、磁気抵抗効果素子１５ａに静電気が流れ込むことは避けられる。したがって、例えば、静電気が磁気抵抗効果素子１５ａを構成する磁気抵抗効果膜１５ｂ並びに上部シールド層１５ｄ及び下部シールド層１５ｃ間を流れる際に、磁気抵抗効果膜１５ｂを挟み込む極薄（０．２ｎｍ程度）の絶縁層１５ｅ（ギャップ層）が静電破壊されることは避けられる。
【０００３】
【特許文献１】
特開２００２−１８３９１７号公報（図１等）
【０００４】
【発明が解決しようとする課題】
しかしながら、この磁気記録再生装置では、帯電した磁気テープが放電前に磁気抵抗効果素子１５ａに接触すると、磁気抵抗効果素子１５ａが静電破壊してしまう。したがって、帯電した磁気テープが磁気抵抗効果素子１５ａに接触しない構造の磁気抵抗効果型ヘッドが望まれる。
そこで、本発明の課題は、搭載した磁気抵抗効果素子が静電破壊することのない磁気抵抗効果型ヘッドを提供することにある。
【０００５】
【課題を解決するための手段】
前記課題を解決した請求項１に記載の磁気抵抗効果型ヘッドは、磁気テープの摺動面に接地電位の導電性膜が形成されていることを特徴とする。
【０００６】
この磁気抵抗効果型ヘッドでは、磁気テープの摺動面に導電性膜が形成されているので、帯電した磁気テープが磁気テープの摺動面に露出する磁気抵抗効果素子に接触することが避けられる。したがって、磁気抵抗効果素子が静電破壊されることは回避される。
【０００７】
【発明の実施の形態】
以下、本発明に係る磁気抵抗効果型ヘッドの一実施の形態について、適宜図面を参照して詳細に説明する。
参照する図面において、図１は、本発明に係る磁気抵抗効果型ヘッドの構造を示す斜視図、図２は、図１のＡ−Ａ断面を示す概略図である。
【０００８】
図１に示すように、磁気抵抗効果型ヘッド１１は、上面１２が所定の曲率で湾曲する一方向に長いヘッド本体１３、書込素子としての電磁誘導型素子１４及び読出素子としての磁気抵抗効果素子１５を備えている。なお、前記上面１２は特許請求の範囲に記載した磁気テープの摺動面に相当する。
【０００９】
電磁誘導型素子１４は、ヘッド本体１３の上面１２でヘッド本体１３の長手方向の中心線に沿ってその一端が露出するようにヘッド本体１３に埋め込まれている。磁気抵抗効果素子１５，１５は、電磁誘導型素子１４を挟み込むようにヘッド本体１３に１対埋め込まれているとともに、磁気抵抗効果素子１５，１５の磁気抵抗効果膜１６，１６の一端は、ヘッド本体１３の中央でヘッド本体１３の上面１２に露出している。そして、ヘッド本体１３の上面１２には、その長手方向に沿って一対の磁気抵抗効果素子１５，１５を挟み込むように一対の溝１７，１７が形成されている。この溝１７，１７は、磁気テープが電磁誘導型素子１４及び磁気抵抗効果素子１５，１５を横切るようにヘッド本体１３の湾曲した上面１２上を摺動する際に、溝１７，１７内に負圧を生起し、磁気テープを溝１７，１７内に引き込むことによって、磁気テープをヘッド本体１３側に引き寄せるようになっている。このようなヘッド本体１３は、例えばアルチック（Ａｌ２  Ｏ３  −ＴｉＣ）やフェライト（ＭｎＺｎ）といった導電性材料で構成されている。
【００１０】
ここで図２を併せて参照すると明らかなように、ヘッド本体１３の上面１２には、溝１７，１７、電磁誘導型素子１４及び磁気抵抗効果素子１５，１５の露出部分を除いて、導電性膜１８が形成されているとともに、ヘッド本体１３は接地されている。したがって、導電性膜１８には、接地電位が設定されている。
【００１１】
導電性膜１８の材質としては、電気抵抗が１×１０１０  Ω以下の材質が好ましい。また、磁気テープから磁気情報を読み出す際の磁気テープの記録磁界に対する影響及び磁気テープに磁気情報を書き込む際のギャップ磁界への影響を考慮すると、誘磁率の低いものが好ましい。また、導電性膜１８の材質の具体例としては、例えば、プラスチック、ゴム等の樹脂、ナイロン、アクリル等の繊維などに、静電気防止剤を担持させたものが挙げられる。
【００１２】
静電気防止剤としては、例えば、脂肪族スルホン酸塩等のイオン性界面活性剤、塩化カルシウムや塩化マグネシウム等の無機塩、ポリエチレングリコール等の多価アルコール、オレフィン系ポリマー、ポリエステル系ポリマー、シロキサン系ポリマー等が挙げられる。
導電性膜１８の厚みは、０．０５〜０．１０μｍ程度が好ましい。この厚みが０．０５μｍを下回ると導電性膜１８の耐久性が低下する場合がある。また、厚みが０．１０μｍを超えるとスペーシングロスの影響で出力が低下する場合がある。
【００１３】
次にこの磁気抵抗効果型ヘッド１１の製造方法を簡単に説明する。まず、公知の方法に準じて、例えばアルチック製の基板上に、磁気抵抗効果素子１５、電磁誘導型素子１４及び磁気抵抗効果素子１５をこの順番に作り込んでいく。そして、さらに磁気抵抗効果素子１５の上には、例えばアルチックをターゲットとするスパッタリング法によってアルチックからなる保護層（保護板）が重ねられる。
【００１４】
このようにして得られたヘッド材料を研磨処理することによって、図２に示すようなアウトトリガ１９及びガイドリール２１を削り出すことによって前記した上面１２を形成するとともに、その上面１２に磁気抵抗効果素子１５，１５及び電磁誘導型素子１４の一端を露出させる。そして上面１３に例えばイオンミリング法やエッチング法によって、前記した溝１７，１７を作成する。
【００１５】
次に、上面１２に形成した溝１７，１７、上面１２に露出する電磁誘導型素子１４及び磁気抵抗効果素子１５，１５をマスキング処理した後、上面１２に導電性膜１８を形成することによって、磁気抵抗効果型ヘッド１１を製造することができる。
導電性膜１８を形成する方法としては、例えば、プラスチックシート、繊維シートなどに静電気防止剤を塗布したものを、ヘッドに接着剤等で貼り付ける方法が挙げられる。
【００１６】
次に、この磁気抵抗効果型ヘッド１１の動作を説明する。図３に示すように、磁気テープＭＴが摺動するにあたって、磁気テープＭＴは、ヘッド本体１３の上面１２で導電性膜１８を介してヘッド本体１３と接触する。そして導電性膜１８がヘッド本体１３の上面１２に所定の厚みで形成されているので、磁気抵抗効果素子１５，１５は磁気テープＭＴの記録磁界を検知することができるとともに、磁気テープＭＴと接触することはない。したがって、帯電した磁気テープＭＴがこの磁気抵抗効果型ヘッド１１に接触したとしても、磁気テープＭＴの電荷ＥＣは、導電性膜１８を介してヘッド本体１３に流れ込んでいく。そして、ヘッド本体１３は導電性材料で構成されているとともに、接地されているので、電荷ＥＣはヘッド本体１３に滞留することなく速やかに減衰していく。
【００１７】
この磁気抵抗効果型ヘッド１１によれば、磁気抵抗効果素子１５，１５に電荷ＥＣが流れていくことがないので、磁気抵抗効果素子１５，１５が静電破壊されることがない。
【００１８】
また、この磁気抵抗効果型ヘッド１１によれば、帯電した磁気テープＭＴが接触したとしても、静電気が定常的に磁気抵抗効果型ヘッド１１を介して放電されるので、磁気テープＭＴから読み出される磁気信号にスパイク状のノイズが入り込むことが回避される。
【００１９】
また、この磁気抵抗効果型ヘッド１１によれば、磁気抵抗効果型ヘッド１５，１５に静電気が滞留することがないので、磁気抵抗効果型ヘッド１１への埃の付着が低減される。
【００２０】
以上、本発明は、前記実施形態に限定されることなく、様々な形態で実施される。
本実施の形態では、導電性膜１８として連続膜を使用したが、本発明の磁気抵抗効果型ヘッドでは、図４（ａ）に示すように、導電性膜１８ａがヘッド本体１３の上面１２で途切れる非連続膜であってもよい。また、図４（ｂ）に示すように、導電性膜１８は、導電性膜１８ｂの材料がヘッド本体１３の上面１２に散在することによって、多孔質膜状の形態を呈するものであってもよい。
【００２１】
また、本実施の形態では、ヘッド本体１３として導電性材料からなるものを使用したが、本発明の磁気抵抗効果型ヘッドは、図５に示すように、ヘッド本体１３ａに例えばシリカ（ＳｉＯ２  ）といった非導電性材料を使用するものであってもよい。このような磁気抵抗効果型ヘッドでは、導電性膜１８に接地電位を設定するために、例えばヘッド本体１３ａの側面に導電性膜１８と図示しないシャーシ側とを電気的に接続するリード線２２を形成すればよい。このリード線２２は、例えばヘッド本体１３ａの側面に例えば銀めっきを施すことによって形成することができる。
【００２２】
また、本実施の形態では、ヘッド本体１３の上面１２で、電磁誘導型素子１４及び磁気抵抗効果型素子１５，１５が露出する部分を除いて導電性膜１８を形成したが、本発明の磁気抵抗効果型ヘッドでは、ヘッド本体１３の上面１２で露出する電磁誘導型素子１４及び磁気抵抗効果型素子１５，１５を覆うように導電性膜１８を形成してもよい。ただし、この場合にあっては、磁気テープの記録磁界が磁気抵抗効果素子１５，１５に及ぶとともに、電磁誘導型素子１４のギャップ磁界が磁気テープに及ぶように、導電性膜１８の材料を選定し、かつ導電性膜１８の厚みを調整する必要がある。
【００２３】
【発明の効果】
搭載した磁気抵抗効果素子が静電破壊することのない磁気抵抗効果型ヘッドを提供することにある。
【図面の簡単な説明】
【図１】本発明に係る磁気抵抗効果型ヘッドの構造を示す斜視図である。
【図２】図１のＡ−Ａ断面を示す概略図である。
【図３】帯電した磁気テープの電荷が磁気抵抗効果型ヘッドを介して放電される様子を示す概念図である。
【図４】図４（ａ）及び図４（ｂ）は、ヘッド本体の上面に形成される導電性膜の形状を例示する断面図である。
【図５】ヘッド本体に非導電性材料を使用した磁気抵抗効果型ヘッドの部分側面図である。
【図６】従来の磁気記録再生装置における磁気抵抗効果型ヘッドを示す構造図である。
【符号の説明】
ＭＴ    磁気テープ
１１    磁気抵抗効果型ヘッド
１２    ヘッド本体の上面（摺動面）
１３    ヘッド本体
１８    導電性膜
【図１】
2004185773.tif 000003
【図２】
2004185773.tif 000004
【図３】
2004185773.tif 000005
【図４】
2004185773.tif 000006
【図５】
2004185773.tif 000007
【図６】
2004185773.tif 000008